(57)【要約】【課題】集合住宅用インターホンシステムと遠隔検針システムとを組み合わせることによって、コストを抑え、かつ検針指令や検針情報等の信号伝送が確実に行えるようにする。【解決手段】制御装置１３は、広域ネットワーク２０に接続するゲートウェイ装置１８を備え、住戸インターホン親機１１は、ゲートウェイ装置１８およびインターホン回線１９を通じて、広域ネットワーク２０側からライフラインメータ１６に対する指令を受信する一方、広域ネットワーク２０側にライフラインメータ１６の状態情報を送信する。【選択図】図１
2012015943.tif 000002
【特許請求の範囲】
【請求項１】
ライフラインメータに接続された住戸インターホン親機と、ロビーインターホンと、それらの通信を制御する制御装置とを有し、前記住戸インターホン親機は、インターホン回線によって、前記制御装置に接続された集合住宅用インターホンシステムにおいて、
前記制御装置は、広域ネットワークに接続するゲートウェイ装置を備え、
前記住戸インターホン親機は、前記ゲートウェイ装置および前記インターホン回線を通じて、前記広域ネットワーク側から前記ライフラインメータに対する指令を受信する一方、前記広域ネットワーク側に前記ライフラインメータの状態情報を送信する集合住宅用インターホンシステム。
【請求項２】
請求項１において、
前記インターホン回線では、所定のインターホン回線プロトコルに基づいた通信がなされ、
前記住戸インターホン親機は、前記ライフラインメータの状態情報を送信する際には、該状態情報を前記インターホン回線プロトコルに変換する集合住宅用インターホンシステム。
【請求項３】
請求項２において、
前記住戸インターホン親機は、前記状態情報を前記インターホン回線プロトコルに変換する処理として、前記状態情報に所定のヘッダまたはフッタを付加する集合住宅用インターホンシステム。
【発明の詳細な説明】
【技術分野】
【０００１】
本発明は、電気メータ、ガスメータ等の遠隔検針の技術を組み込んだ集合住宅用インターホンシステムに関する。
【背景技術】
【０００２】
各住戸に設けた電力計測装置に、親機との間で通信を行う子機を付設し、子器は、電力計測装置で計測された使用電力親機に通知し、親機は広域情報通信網を通して、上位管理装置に通知する構成とした遠隔検針システムが開示されている。このシステムは、集合住宅やオフィスビルのように１つの建物内に複数の電力計測装置が配置されている場合を想定しており、計量データの伝送経路として電力線が用いられている。このような電力線を用いた通信は、一般にＰＬＣ（Power Line Communication）と呼ばれている。
【先行技術文献】
【特許文献】
【０００３】
【特許文献１】特開2010-004263公報
【発明の概要】
【発明が解決しようとする課題】
【０００４】
しかしながら、集合住宅では、上記のように電力線による伝送を行うと、各住戸の電子レンジ等で生じるノイズによって、通信エラーが多発するという問題がある。これに対して、ネットワークケーブルを用いれば、通信エラーは生じにくいものの、施工の手間がかかる上、コスト高になってしまう。
【０００５】
そこで、本発明は、集合住宅用インターホンシステムと遠隔検針システムとを組み合わせることによって、コストを抑え、かつ検針指令や検針情報等の信号伝送が確実に行える新たな構成のシステムを提供することを目的とする。
【課題を解決するための手段】
【０００６】
本発明は、ライフラインメータに接続された住戸インターホン親機と、ロビーインターホンと、それらの通信を制御する制御装置とを有し、前記住戸インターホン親機は、インターホン回線によって、前記制御装置に接続された集合住宅用インターホンシステムにおいて、前記制御装置は、広域ネットワークに接続するゲートウェイ装置を備え、前記住戸インターホン親機は、前記ゲートウェイ装置および前記インターホン回線を通じて、前記広域ネットワーク側から前記ライフラインメータに対する指令を受信する一方、前記広域ネットワーク側に前記ライフラインメータの状態情報を送信することを特徴とする。
【０００７】
そして、前記インターホン回線では、所定のインターホン回線プロトコルに基づいた通信がなされ、前記住戸インターホン親機は、前記ライフラインメータの状態情報を送信する際には、該状態情報を前記インターホン回線プロトコルに変換するようにしてもよい。
【０００８】
また、前記住戸インターホン親機は、前記状態情報を前記インターホン回線プロトコルに変換する処理として、前記状態情報に所定のヘッダまたはフッタを付加するようにしてもよい。
【発明の効果】
【０００９】
本発明は、集合住宅の建物内では、ライフラインメータに対する指令、ライフラインメータの状態情報等を、インターホン回線によって伝送する構成なので、それらの信号を伝送するためのネットワークケーブル等は不要であり、コストが抑えられる。また、広域ネットワークに接続するのはゲートウェイ装置だけなので、住戸毎にプロバイダ契約も不要である。
【００１０】
また、インターホン回線による通信では、電力線による信号伝送ようなノイズの問題がないので、ライフラインメータに対する指令、ライフラインメータの状態情報等を確実に伝送できる。
【図面の簡単な説明】
【００１１】
【図１】本発明を適用した集合住宅用インターホンシステムの基本的なブロック図である。
【図２】本発明を適用した集合住宅用インターホンシステムの変形例の基本的なブロック図である。
【図３】住戸インターホン親機、アダプタ、およびライフラインメータの機能ブロック図である。
【図４】ゲートウェイ装置の機能ブロック図である。
【図５】プロトコルの変化を示した信号伝送図である。
【発明を実施するための形態】
【００１２】
図１に示しているインターホンシステム１は、住棟各部屋に設置される住戸インターホン親機１１と、共同玄関等に設置されるロビーインターホン１２と、管理人室等に設置される制御装置１３とで構成されている。そして、インターホンシステム１は、広域ネットワーク２０に接続するゲートウェイ装置１８を更に備えている。ここで、住戸インターホン親機１１は、インターホン回線１９によって制御装置１３に接続されている。
【００１３】
住戸インターホン親機１１は、ドアホン子器１４を備え、アダプタ１５を介して、ライフラインメータ１６に接続されている。ライフラインメータ１６は、例えば、電気メータやガスメータであり、これらは住戸外に設置されていてもよい。なお、アダプタ１５は住戸インターホン親機１１と別体としているが、一体に構成されてもよい。また、アダプタ１５は、ライフラインメータ１６に一体として構成されてもよい。
【００１４】
ロビーインターホン１２は、来客を撮影するビデオカメラ１７を備えている。ここで、ロビーインターホン１２は１系統になっているが、大規模集合住宅等であれば、２系統以上としてもよい。
【００１５】
ゲートウェイ装置１８は、例えばインターネット等の広域ネットワーク２０に接続している。広域ネットワーク２０には、電力会社やガス会社等がライフラインメータ１６を遠隔検針するためのサーバ装置２１が接続されている。なお、ゲートウェイ装置１８は、制御装置１３と別体となっているが、一体に構成されていてもよい。
【００１６】
インターホン回線１９は、広域ネットワーク２０とは異なるインターホン回線プロトコルに従った通信がなされる。そこでは、住戸インターホン親機１１のそれぞれに固有のインターホン回線アドアレスが与えられており、制御装置１３の制御によって、ロビーインターホン１２と、呼び出された住戸インターホン親機１１との間で会話音声や来客映像の伝送が排他的になされる。
【００１７】
インターホンシステム１の基本的な動作は従来と同様である。すなわち、ロビーインターホン１２で住戸番号を指定した呼出がなされると、制御装置１３は、その住戸番号に対応したインターホン回線アドレスを特定し、住戸インターホン親機１１を呼び出す。呼び出された住戸インターホン親機１１で応答操作がなされると、制御装置１３は、その住戸インターホン親機１１とロビーインターホン１２との間で、音声信号と映像信号とを排他的に伝送させる。これにより、住戸インターホン親機１１とロビーインターホン１２との間のみの通話が許容され、ビデオカメラ１７が撮影した映像が、住戸インターホン親機１１の表示部に表示される。
【００１８】
このとき制御装置１３は、住戸インターホン親機１１とロビーインターホン１２との間で通信を中継するが、排他的制御は、住戸インターホン親機１１と、制御装置１３とが、送信先を指定して通信することにより可能になっている。制御装置１３とロビーインターホン１２との通信は、基本的に一対一の通信なので、インターホン回線プロトコル以外の形式で行ってもよい。その場合は、制御装置１３がプロトコルの変換、通信の中継を行う。
【００１９】
なお、住戸インターホン親機１１と、ロビーインターホン１２との通話は、住戸インターホン親機１１で終了操作がなされたとき、あるいは所定時間が経過したときに、制御装置１３によって終了させられる。
【００２０】
次いで、本発明の特徴であるライフラインメータ１６の遠隔検針の基本的な動作を説明する。
【００２１】
サーバ装置２１は、ライフラインメータ１６のそれぞれの登録番号に対応させて、顧客氏名、住棟番号、部屋番号を含む顧客住所、および広域ネットワーク２０を通じてそのライフラインメータ１６に到達するためのルート情報等が登録された顧客データベースを備えている。ここで、ルート情報は、少なくともアダプタ１５に割り当てられたネットワークアドレスを含んでいる。
【００２２】
遠隔検針は、サーバ装置２１からライフラインメータ１６側に検針指令を送信し、その応答として、ライフラインメータ１６側からサーバ装置２１に検針情報を返信する手順でなされる。なお、ライフラインメータ１６側からサーバ装置２１に検針情報を自発的かつ定期的に送信するようにしてもよい。
【００２３】
検針指令は、サーバ装置２１から、送信先としてアダプタ１５のネットワークアドレスが指定されており、ネットワークプロトコルで送信される。広域ネットワーク２０は、図示しない複数のルータを含んでいる。そして、検針指令は、ルータのそれぞれに設定されているルート情報に基づいて次々に転送されて、ゲートウェイ装置１８に到達する。
【００２４】
ゲートウェイ装置１８は、検針指令を受信すると、送信先のネットワークアドレスを読み取り、所定の範囲であれば、つまり住棟内に設置されているアダプタ１５のいずれかのネットワークアドレスであれば、その検針指令を、インターホン回線１９に送出する。そのとき、ネットワークプロトコルから、インターホン回線プロトコルへの変換として、検針指令に所定のヘッダまたはフッタを付加する。変換後の検針指令は、送信先として、住戸インターホン親機１１の全てを指定するブロードキャスト用のインターホン回線アドレスを含んでいる。ブロードキャスト用のインターホン回線アドレスは、インターホン回線アドレスの特殊形式である。
【００２５】
このような構成とすれば、ゲートウェイ装置１８は、広域ネットワーク２０から受信した検針指令の送信先のアドレスのみを読み取って、住棟内のインターホン回線１９に送出するか否かを判断できる。また、サーバ装置２１側では、インターホンシステム１の構成、例えば住戸インターホン親機１１のインターホン回線アドレス等を知らなくても、検針指令を生成、送信できるので、システム運用が容易になる。
【００２６】
ゲートウェイ装置１８によってインターホン回線１９に出力された検針指令は、住戸インターホン親機１１の全てが受信する。住戸インターホン親機１１は、プロトコルの変換として、検針指令からインターホン回線プロトコルのヘッダ、フッタを取り除いて、検針指令をアダプタ１５に出力する。
【００２７】
アダプタ１５は、その検針指令を受信すると、送信先に自己のネットワークアドレスが指定されているか否かを判断し、指定されていれば、ライフラインメータ１６に検針指令を出力する。一方、送信先に自己のネットワークアドレスが指定されていなければ、その検針指令は放棄する。アダプタ１５とライフラインメータ１６との通信は、どのようなプロトコルであってもよい
【００２８】
ライフラインメータ１６は、アダプタ１５からの検針指令を検知すると、その時点における検針データを返信する。アダプタ１５は、その検針データを受け付けると、送信先としてサーバ装置２１のネットワークアドレスを指定した検針情報を生成して、住戸インターホン親機１１に送信する。
【００２９】
住戸インターホン親機１１は、アダプタ１５から受信した検針情報に、インターホン回線プロトコルのヘッダ、フッタを付加して、インターホン回線１９に送出する。インターホン回線に出力された検針情報は、送信先としてゲートウェイ装置１８のインターホン回線アドレスを含んでいる。
【００３０】
ゲートウェイ装置１８は、その検針情報をインターホン回線１９から受信すると、その検針情報からインターホン回線プロトコルのヘッダ、フッタを取り除くことにより、ネットワークプロトコルに変換して、広域ネットワーク２０に送出する。
【００３１】
広域ネットワーク２０に出力された検針情報は、送信先としてサーバ装置２１のネットワークアドレスが指定されているので、複数のルータにより次々と転送されて、サーバ装置２１に到達する。サーバ装置２１は、その検針情報を読み取り、課金データベース等に蓄積する等の処理を行う。
【００３２】
このように、ライフラインメータ１６に対する検針指令や、ライフラインメータ１６の検針情報等を、集合住宅の建物内では、少なくともインターホン回線１９の一部を経由して伝送する構成とすれば、それらの信号を伝送するためのネットワークケーブル等は不要なので、コストが抑えられる。また、広域ネットワーク２０に接続するのはゲートウェイ装置１８だけなので、住戸毎にプロバイダ契約も不要である。
【００３３】
また、インターホン回線１９による通信では、電力線による信号伝送ようなノイズの問題がないので、ライフラインメータ１６に対する検針指令、ライフラインメータ１６の検針情報等を確実に伝送できる。
【００３４】
また、上記実施例では、住戸インターホン親機１１やゲートウェイ装置１８によるプロトコルの変換は、ネットワークプロトコルの検針指令や検針情報に、インタホン回線プロトコルのヘッダ、フッタを付加、あるいは除去しているだけなので、簡単な回路で実行できる。その際、検針指令や検針情報が暗号化されていても、何ら問題になくプロトコルの変換ができる。
【００３５】
なお、上記動作では、サーバ装置２１が検針指令を送信し、ライフラインメータ１６側が検針情報を返信しているが、サーバ装置２１は検針指令以外の指令を送ることもできる。例えば、自己診断指令等を送信し、ライフラインメータ１６側から診断結果が返信されるようにしてもよい。
【００３６】
また、上記動作では、アダプタ１５に広域ネットワーク２０のネットワークアドレスが割り当てられているが、アダプタ１５あるはライフラインメータ１６の識別情報を割り当ててもよい。この場合、サーバ装置２１は、送信先としてゲートウェイ装置１８のネットワークアドレスを指定した検針指令を送信する。このとき、検針指令の内部に、そのような識別情報を含ませておけば、アダプタ１５は、その検針指令が自己宛のものか否か判別できる。また、アダプタ１５がサーバ装置２１に返信する検針情報に、そのような識別情報を含ませておけば、サーバ装置２１は、その検針情報がどのライフラインメータ１６のものか判断できる。なお、識別情報の形式に特段の制限はなく、登録番号、特定桁数の数字、あるいは住棟番号と部屋番号との組み合わせ等にしてもよい。
【００３７】
図２に示したインターホンシステム１の変形例は、１つのアダプタ１５に対して複数のライフラインメータ１６が渡り配線されている。それ以外の構成要素や基本動作は、上記と同様である。このような構成は、例えば、２住戸毎にライフラインメータ１６を収容するサービスヤードが隣接して配置されているような集合住宅では特に有効である。また、１フロアーに数台のアダプタ１５を配置してもよい。あるいは１つのアダプタ１５に複数種別のライフラインメータ１６を繋いでもよい。
【００３８】
この変形例では、ライフラインメータ１６に識別情報が割り当てられており、サーバ装置２１は、複数のライフラインメータ１６の識別情報を含ませた検針指令を送信する。これに対して、アダプタ１５は、その識別情報が自己の管理下のライフラインメータ１６のものか否かを判断し、管理下のものであれば、ポーリングによって、ライフラインメータ１６のそれぞれから検針データを読み取る。そして、ライフラインメータ１６の識別情報と検針データとを対応させた検針情報を生成して、サーバ装置２１に返信する。検針情報は、ライフラインメータ１６毎に生成しても、複数のライフラインメータ１６分をまとめて生成してもよい。
【００３９】
次いで、本発明の要部である住戸インターホン親機１１、アダプタ１５、ライフラインメータ１６、ゲートウェイ装置１８の構成を説明する。
【００４０】
図３に示した住戸インターホン親機１１は、制御装置１３やゲートウェイ装置１８と通信するインターホン通信部１１ａと、ロビーインターホン１２あるいはドアホン子器１４との間で通話処理を行う通話部１１ｂと、ビデオカメラ１７が撮影した来客映像を表示する表示部１１ｃとで構成されている。そして、インターホン親機１１は、アダプタ１５と通信するネットワーク通信部１１ｄと、ネットワークプロトコルとインターホン回線プロトコルとを相互に変換するプロトコル変換部１８ｅを備えている。
【００４１】
アダプタ１５は、ネットワークプロトコルを処理し、住戸インターホン親機１１と通信するネットワーク通信部１５ａと、ライフラインメータ１６を制御するメータ制御部１５ｂとを備えている。
【００４２】
ライフラインメータ１６は、アダプタ１５と通信する制御部１６ａと、ライフラインの使用量等を表示する表示部１６ｂと、ライフラインを遮断する遮断部１６ｃを備えている。
【００４３】
図４に示したゲートウェイ装置１８は、広域ネットワーク２０を通じてサーバ装置２１等と通信するネットワーク通信部１８ａと、インターホン回線１９を通じて住戸インターホン親機１１等と通信するインターホン回線通信部１８ｂとで構成されている。そして、ゲートウェイ装置１８は、ネットワークプロトコルとインターホン回線プロトコルとを相互に変換するプロトコル変換部１８ｃとを備えている。
【００４４】
図５は、サーバ装置２１とライフラインメータ１６との間でのプロトコルの変化を示した信号伝送図である。
【００４５】
検針指令は、サーバ装置２１とゲートウェイ装置１８との間の広域ネットワーク２０では、ネットワークプロトコルで伝送される。このとき、検針指令のヘッダは、送信先として、アダプタ１５のネットワークアドレスを含んでいる。ゲートウェイ装置１８では、ネットワークプロトコルからインターホン回線プロトコルへの変換がなされ、インターホン回線１９では、インターホン回線プロトコルで伝送される。このとき、検針指令のヘッダは、送信先として、ブロードキャスト用インターホン回線アドレスを含んでいる。住戸インターホン親機１１では、インターホン回線プロトコルからネットワークプロトコルへの変換がなされる。検針指令は、住戸インターホン親機１１とアダプタ１５の間では、ネットワークプロトコルで伝送される。アダプタ１５では、ネットワークプロトコルから任意形式に変換され、変換後の検針指令がライフラインメータ１６に伝送される。
【００４６】
一方、ライフラインメータ１６が送出した検針データは、アダプタ１５で、ネットワークプロトコルの検針情報に変換され、アダプタ１５と住戸インターホン親機１１との間では、ネットワークプロトコルで伝送される。このとき、検針情報のヘッダは、送信先として、サーバ装置２１のネットワークアドレスを含んでいる。住戸インターホン親機１１では、ネットワークプロトコルからインターホン回線プロトコルへの変換がなされ、インターホン回線１９では、インターホン回線プロトコルで伝送される。このとき、検針指令のヘッダは、送信先として、ゲートウェイ装置１８のインターホン回線アドレスを含んでいる。ゲートウェイ装置１８では、インターホン回線プロトコルからネットワークプロトコルへの変換がなされ、広域ネットワーク２０では、ネットワークプロトコルで伝送される。
【符号の説明】
【００４７】
１        集合住宅用インターホンシステム
１１      住戸インターホン親機
１２      ロビーインターホン
１３      制御装置
１５      アダプタ
１６      ライフラインメータ
１８      ゲートウェイ装置
１９      インターホン回線
２０      広域ネットワーク
【図１】
2012015943.tif 000003
【図２】
2012015943.tif 000004
【図３】
2012015943.tif 000005
【図４】
2012015943.tif 000006
【図５】
2012015943.tif 000007